(57)【特許請求の範囲】
【請求項１】
ポンプケーシング内に設置されるポンプインペラーのハブをポンプ軸の端部に固定してなるポンプにおいて、
ポンプインペラーを収納した室とポンプ軸の駆動機構を収納した室とを仕切る仕切り板と、
仕切り板とポンプ軸との間を封水するポンプ軸封水部とを有し、
ハブは、その中央にポンプ軸の端部を通過させてポンプインペラーに固定される部分と、ポンプ軸の端部に挿入される部分とに分割され、
ポンプ軸及びポンプインペラーの設置位置をそのままにした状態で、ポンプケーシング側からポンプ軸の端部に挿入されたハブを取り外すことによって、ポンプ軸封水部を露出させることを特徴とするポンプ。
【請求項２】
ポンプインペラーに固定されるハブの面にジャッキボルトを取り付けてその先端を仕切り板の面に当接させるジャッキボルト取付孔を設け、
一方ポンプインペラーの外周にこの外周を囲んでポンプケーシングの対向面との間に設置するジャッキボルトを突っ張らせる側壁を設けたことを特徴とする請求項１に記載のポンプ。
【発明の詳細な説明】
【０００１】
【発明の属する技術分野】
本発明は、ポンプインペラーのハブ構造に改良を加えたポンプに関するものである。
【０００２】
【従来の技術】
図３は従来のポンプのインペラー周辺部分を示す断面図である。同図に示すポンプは、そのポンプ軸１０２を２つの軸受１１１，１１３によって軸支すると共に、両軸受１１１，１１３の間に回転駆動用のプーリー１１６を固定し、このプーリー１１６と駆動側のプーリー１１７との間にベルト１１９を巻き掛け、一方ポンプ軸１０２の軸受１１３側の一端にインペラー１０１を固定したハブ１０３を固定し、さらにポンプ軸１０２のハブ１０３の根元側に、インペラー１０１を収納する室とポンプ軸１０２等のポンプ駆動機構を収納する室との間を封水するメカニカルシール（ポンプ軸封水部）１０５を取り付けて構成されていた。そしてプーリー１１７を図示しない駆動装置によって回転駆動することでインペラー１０１を回転すれば、吸込口１０７から吐出口１０９に向けて水が揚水されていく。
【０００３】
ところで上記構造のポンプにおいて、メカニカルシール１０５を分解・組立するには、まず一体に形成されているインペラー１０１及びハブ１０３をポンプ軸１０２から取り外し、これによってポンプ軸１０２の端部にメカニカルシール１０５を露出させてその分解・組み立てを行ない、その後再びインペラー１０１を取り付けていた。
【０００４】
しかしながらインペラー１０１は重量物であり、その取り外し、取り付けは困難であった。
【０００５】
【発明が解決しようとする課題】
本発明は上述の点に鑑みてなされたものでありその目的は、インペラーを取り外さなくても容易にポンプ軸に取り付けたポンプ軸封水部の分解・組み立てが行なえるポンプを提供することにある。
【０００６】
【課題を解決するための手段】
上記問題点を解決するため本発明は、ポンプケーシング内に設置されるポンプインペラーのハブをポンプ軸の端部に固定してなるポンプにおいて、ポンプインペラーを収納した室とポンプ軸の駆動機構を収納した室とを仕切る仕切り板と、仕切り板とポンプ軸との間を封水するポンプ軸封水部とを有し、ハブは、その中央にポンプ軸の端部を通過させてポンプインペラーに固定される部分と、ポンプ軸の端部に挿入される部分とに分割され、ポンプ軸及びポンプインペラーの設置位置をそのままにした状態で、ポンプケーシング側からポンプ軸の端部に挿入されたハブを取り外すことによって、ポンプ軸封水部を露出させることを特徴とする。このように構成すれば、ポンプインペラーをそのままの位置に固定手段を用いて固定した状態で、ポンプ軸側に固定したハブを取り外し、これによって露出するポンプ軸のポンプ軸封水部のメンテナンスを行ない、その後前記取り外したハブを再び取り付けることができる。従ってインペラーを取り外して別の場所に置いておく必要がないので、ポンプ軸封水部のメンテナンスが容易に行なえる。
【０００７】
また本発明は、ポンプインペラーに固定されるハブの面にジャッキボルトを取り付けてその先端を仕切り板の面に当接させるジャッキボルト取付孔を設け、一方ポンプインペラーの外周にこの外周を囲んでポンプケーシングの対向面との間に設置するジャッキボルトを突っ張らせる側壁を設けたことを特徴とする。
【０００８】
【発明の実施の形態】
以下、本発明の実施形態を図面に基づいて詳細に説明する。
図１は本発明を適用してなるポンプのインペラー周辺部分を示す断面図である。同図に示すようにこのポンプは、ポンプ軸２を２つの軸受１１，１３によって軸支すると共に、その間の部分に回転駆動用のプーリー１６を固定し、このプーリー１６をベルト１９によって駆動側のプーリー１７に巻き掛け、一方ポンプ軸２の軸受１３側の端部にインペラー１のハブ３（３−１）を固定して構成されている。インペラー１はポンプケーシング８内に設置されている。
【０００９】
ここで本発明にかかるインペラー１のハブ３は、インペラー１側に固定した部分３−２とポンプ軸２側に固定した部分３−１とに分割されており、両者はボルト５０によって一体に回転するように固定されている。またハブ３−１とポンプ軸２間は、軸端金具４１にねじ込んだボルト５１，５３によって一体に回転するように固定されている。またインペラー１側のハブ３−２の面には、下記するジャッキボルトＡを螺合するジャッキボルト取付孔３３が４箇所（図示する上下２個所のほかに、紙面手前側と奥側の垂直方向に２箇所）に設けられている。またインペラー１の外周にはこれを円筒状に囲む側壁２１が設けられている。
【００１０】
一方インペラー１側の室とポンプ軸２の駆動機構を収納した側の室とは、仕切り板５５によって仕切られており、仕切り板５５とポンプ軸２間はポンプ軸２の根元部分に取り付けられたメカニカルシール（ポンプ軸封水部）１５によってシールされてインペラー１側の水がポンプ軸２の駆動機構側の室に浸入しないように構成されている。
【００１１】
そして図示しない駆動装置（例えばモータ）によってプーリー１７を回転駆動することでポンプ軸２を介してインペラー１を回転すれば、ポンプケーシング８の吸込口７から吐出口９に向けて水が揚水されていく。
【００１２】
次に前記メカニカルシール１５の分解・組立を行なうには、まず図２に示すように、ハブ３−２に設けた４つのジャッキボルト取付孔３３にジャッキボルトＡを螺合してその先端を仕切り板５５の面に当接する。一方インペラー１の側壁２１とこれに対向するポンプケーシング８の面の間に、ジャッキボルトＢを挿入してこれを側壁２１とポンプケーシング８の面の間に突っ張るように取り付ける。このジャッキボルトＢはその所定部分を回転することでその全長を長くしたり短くしたりすることができる機構のものであり、図示する上下２個所の他に、紙面手前側と奥側の紙面に垂直な方向にもそれぞれ１つずつ設置されている。そしてインペラー１の回転軸に垂直な面内の上下左右の位置はジャッキボルトＢによって支えられ、インペラー１の回転軸に垂直な面に対して傾く方向はジャッキボルトＡによって支えられ、これらによってインペラー１の回転中心軸をポンプ軸２の軸心に一致させた状態のまま固定し保持する。
【００１３】
以上のようにジャッキボルトＡ，Ｂという固定手段によってインペラー１を固定し保持した後、図１に示すボルト５１，５３を取り外して軸端金具４１を取り外し、ボルト５０を取り外すことでポンプ軸１側のハブ３−１を取り外す。これによって図２に示すように、ポンプ軸２の軸端にメカニカルシール１５が露出する。
【００１４】
そしてメカニカルシール１５を分解し、不良箇所を修理・部品交換等して再び組み立てた後、ポンプ軸２の先端にハブ３−１を挿入してボルト５０によってハブ３−１とハブ３−２とを固定し、次にポンプ軸２とハブ３−１の端面に軸端金具４１を接合してボルト５１，５３をそれぞれポンプ軸２とハブ３−１に螺合してポンプ軸２とハブ３−１間を固定する。そして最後に前記インペラー２とハブ３−２とを保持していたジャッキボルトＡ，Ｂを取り外せば、その分解・組立作業が終了する。
【００１５】
本発明によれば重量物であるインペラー１をポンプから取り外して別の場所に移動して置いたり、再びこれをポンプ軸２に軸合わせして取り付けたりする等の必要がないので、メカニカルシール１５の分解・修理・組立が容易に行なえる。
【００１６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や材質であっても、本願発明の作用・効果を奏する以上、本願発明の技術的思想の範囲内である。
【００１７】
例えばジャッキボルトＡ，Ｂの取付個数は４つに限定されず、他の種々の個数であってもよい。またその取り付け位置も種々変更可能である。さらにインペラー１を固定する手段としてはジャッキボルトによる方法に限定されず、他の種々の方法が考えられる。要はインペラー１を所望の位置に固定した状態に保持することができる固定手段であれば、どのような構造のものであっても良い。
【００１８】
またハブ３−１，３−２の分割構造は、上記構造に限定されず、種々の変形が可能である。要はポンプ軸側に固定されたハブがインペラーの設置位置をそのままにした状態で取り外せる形状に構成されていればよい。
【００１９】
上記実施形態ではメカニカルシールをメンテナンスするためにハブを分割したが、メカニカルシール以外の各種構造のポンプ軸封水部をメンテナンスするためにハブを分割するように構成してもよい。
【００２０】
【発明の効果】
以上詳細に説明したように本発明によれば、インペラーを取り外さなくても容易にポンプ軸に取り付けたポンプ軸封水部のメンテナンスを行うことができるという優れた効果を有する。
【図面の簡単な説明】
【図１】本発明を適用してなるポンプのインペラー周辺部分を示す断面図である。
【図２】ポンプ軸封水部の分解・組立方法を説明するための断面図である。
【図３】従来のポンプのインペラー周辺部分を示す断面図である。
【符号の説明】
１  インペラー
２  ポンプ軸
３（３−１，３−２）  ハブ
７  吸込口
８  ポンプケーシング
９  吐出口
１１，１３  軸受
１５  メカニカルシール（ポンプ軸封水部）
１６，１７  プーリー
１９  ベルト
２１  側壁
３３  ジャッキボルト取付孔
４１  軸端金具
５０，５１，５３  ボルト
５５  仕切り板
Ａ，Ｂ  ジャッキボルト
【図１】
0003964100.tif 000002
【図２】
0003964100.tif 000003
【図３】
0003964100.tif 000004